(57)【要約】【課題】携帯に便利であり、複数の実物見本木材片を一覧可能であり、かつ着脱可能として、卓上での木材の選定が行える木材の実物見本セットを提供する。【解決手段】複数の見本木材片１とそれを収納する携帯箱２からなり、見本木材片１が携帯箱２の底面に数列、数段で留め材３ａ，３ｂで固定されている。携帯箱２は２枚の盆型箱２ａ，２ｂからなり、開閉できるように丁番４で接続されている。携帯箱２に複数の見本木材片１が収められているため持ち運びや収納にかさばらないし、卓上で使用するのに適している。盆型箱２ａ、２ｂを開閉できるため、開くと見本木材片１を並べた面を重なり無く提示し一覧することができる。見本木材片１は留め材３ａ、３ｂで留められているので、着脱可能であり、必要に応じて取り外し、木材の硬さや重さ、手触り等を確かめることが可能である。【選択図】図１
0003145061.tif 000002
【実用新案登録請求の範囲】
【請求項１】
複数の見本木材片と該見本木材片を収納する携帯箱とからなり、
該携帯箱の内部に前記見本木材片を着脱可能な留め材で固定した
ことを特徴とする木材の実物見本セット。
【請求項２】
前記携帯箱が２枚の盆型箱からなり、
該２枚の盆型箱の開口面同士を内側として開閉できるように、該２枚の盆型箱が丁番で接続されている
ことを特徴とする請求項１記載の木材の実物見本セット。
【請求項３】
前記見本木材片が直方体であり、
前記盆型箱の底面が四角形であり、
前記複数の見本木材片が前記盆型箱の底面において複数列、複数段に揃えて前記留め材で固定されている
ことを特徴とする請求項２記載の木材の実物見本セット。
【請求項４】
前記見本木材片の底面に、前記留め材が貼り付けられており、
前記盆型箱底面に、平紐状の前記留め材が貼り付けられており、
前記見本木材片に貼り付けられた留め材と前記盆型箱に貼り付けられた留め材とが互いに留めあう
ことを特徴とする請求項３記載の木材の実物見本セット。
【考案の詳細な説明】
【技術分野】
【０００１】
本考案は、木材の実物見本セットに関する。さらに詳しくは、複数の実物見本木材片を携帯可能に収納した、木材の実物見本セットに関する。
【背景技術】
【０００２】
家具や建築等の設計者は、顧客の要望に合致した設計を行うために、材料に用いる木材についても顧客と共に選定する場合がある。例えば、柱や天井、フローリング等に用いる木材について検討する場合、設計者がそれぞれに適した木材を提案し、顧客がその木材の色合いや手触りを考慮して気に入ったものを選定することになる。顧客との木材の選定においては、概ね木材の見本を提示しながらの検討となる。そのため木材の見本は、木材の知識の乏しい顧客にとって重要な資料となる他、設計者と顧客との認識合わせのために重要な役割を担う。
その他にも、木材の見本は設計者や施工者自身が木材の選定の際に使用したり、建築関係の学習者が学習用の資料として使用したりする。さらに専門学校や高等学校の建築科等における学習教材としても使用される。
【０００３】
木材の見本の従来技術としては、非特許文献１のような、木材の画像と共にその木材の特徴等の情報を紙媒体に印刷したものがある。印刷物の場合、豊富な種類の木材を体系的に掲載することができるため、多くの情報を提示することができる。しかし、木材は硬さや重さ、手触り等実物を触ってみないと分からないことがある。また、木材の微妙な色合いは印刷では表現しきれない場合があるため、印刷物と実物とを比べると色合いが異なることがある。そのため、少なくとも最終的には実物の見本木材で確認し、選定することが好ましい。
【０００４】
実物の見本木材で確認する場合、従来は見本木材を木材業者から取り寄せて、若しくはあらかじめ用意しておいて、ひとつずつ確認していた。したがって、印刷物のように一覧することができず、複数種類の木材を比較し検討するには不便であった。
【０００５】
この点を改善したものが非特許文献２の見本木材である。非特許文献２の見本木材は、同一の大きさに加工した複数種類の見本木材をまとめて一つの箱に収めたものである。そのため、複数種類の見本木材を並べて比較検討することができる。しかし、この見本木材はダンボールか木製の箱に収められているだけであり、携帯には不便である。しかも、箱を開けただけでは見本木材を一覧することができないため、結局一枚ずつ取り出して確認しなければいけなかった。また、その大きさから机の上に広げて確認することは困難であった。
【０００６】
【非特許文献１】宮本  茂紀著、「原色インテリア木材ブック」建築資料研究社、１９９６年９月発行
【非特許文献２】http://www.holzmarkt.co.jp/mkpull.htm
【考案の開示】
【考案が解決しようとする課題】
【０００７】
本考案は上記事情に鑑み、携帯に便利であり、複数の実物見本木材片を一覧可能であり、かつ着脱可能として、卓上での木材の選定が行える木材の実物見本セットを提供することを目的とする。
【課題を解決するための手段】
【０００８】
第１考案の木材の実物見本セットは、複数の見本木材片と該見本木材片を収納する携帯箱とからなり、該携帯箱の内部に前記見本木材片を着脱可能な留め材で固定したことを特徴とする。
第２考案の木材の実物見本セットは、第１考案において、前記携帯箱が２枚の盆型箱からなり、該２枚の盆型箱の開口面同士を内側として開閉できるように、該２枚の盆型箱が丁番で接続されていることを特徴とする。
第３考案の木材の実物見本セットは、第２考案において、前記見本木材片が直方体であり、前記盆型箱の底面が四角形であり、前記複数の見本木材片が前記盆型箱の底面において複数列、複数段に揃えて前記留め材で固定されていることを特徴とする。
第４考案の木材の実物見本セットは、第３考案において、前記見本木材片の底面に、前記留め材が貼り付けられており、前記盆型箱底面に、平紐状の前記留め材が貼り付けられており、前記見本木材片に貼り付けられた留め材と前記盆型箱に貼り付けられた留め材とが互いに留めあうことを特徴とする。
【考案の効果】
【０００９】
第１考案によれば、携帯箱の中に複数種類の見本木材片を収納することができる。携帯箱に収めれば、全体として携帯可能な大きさになるため、持ち運びや収納にかさばらないし、卓上で使用するのにも適している。
また、見本木材片は携帯箱に留め材で留められているので、携帯箱を開閉したときに飛び出したりすることが無く、所定の位置に固定したままでおける。したがって、携帯箱を開けたまま垂直に立てかけても見本木材片が落ちることは無いので、提示に便利である。さらに、留め材による固定は着脱自在であるため、必要に応じて見本木材片を取り外し、見本木材片の硬さや重さ、手触り等を確かめることが可能である。
第２考案によれば、携帯箱が２枚の盆型箱からなるので、それぞれの盆型箱に見本木材片を整列させて格納でき、多くの種類の見本木材片を収納することが可能となっている。
また、２枚の盆型箱が丁番で接続されており、盆型箱の開口面同士を内側として開閉できるため、携帯箱を開くと見本木材片を並べた面を重なり無く提示することができる。そのため卓上で、資料として開くのに適している。携帯箱を閉じれば、見本木材片は箱の内側に格納される形となり、携帯箱の持ち運びや収納に便利であるし、見本木材片を傷つけたりする等の心配がない。
第３考案によれば、盆型箱底面に直方体の見本木片が整列した状態となるため、樹名の五十音や、木材の性質によって順番を決めて整列させて収納することができる。そのため、顧客との打ち合わせ等の場において複数の見本木材片を体系的に一覧することが出来、効率的に比較検討することができる。
第４考案によれば、盆型箱の留め材が平紐状であるので、見本木材片は盆型箱の留め材によって直線的に支えられることになる。留め材にはある程度の厚みがあるので、見本木材片は盆型箱の留め材を支点としたシーソーのような状態となる。そのため通常見本木材片は、留め材から遠い一端が盆型箱底面に接地し、留め材を挟んでもう一端が浮き上がった状態となっているので、浮き上がった一端を指で下方に押さえると、接地していた一端が上方へ浮き上がり、浮き上がった見本木材片の側面を指でつまみ上方へ引き上げると見本木材片を簡単に取り外すことができる。このため、見本木材片を取り外すことが容易となっている。
【考案を実施するための最良の形態】
【００１０】
つぎに、本考案の一実施形態を図面に基づき説明する。
【００１１】
図１は、本考案の実施形態における木材の実物見本セットの開いた状態の外観図である。本考案の木材の実物見本セットは複数種類の見本木材片１を携帯及び提示するものであり、見本木材片１は携帯箱２の内部に整列して収納されている。見本木材片１の底面には留め材３ａ（一部のみ図示）が、携帯箱２の底面には留め材３ｂが貼り付けられており、留め材３ａ，３ｂ同士が留めあうことで、見本木材片１は携帯箱２に着脱可能に固定されている。
留め材３ａ，３ｂには面状ファスナー、例えばマジックテープ（商標登録）が用いられる。
【００１２】
携帯箱２は２枚の盆型箱２ａ，２ｂから構成される。盆型箱２ａ，２ｂは深さの浅いお盆状の箱である。２枚の盆型箱２ａ，２ｂはそれぞれの開口面同士を内側として開閉できるように丁番４で接続されている。図１は、携帯箱２を開いた状態を示しており、盆型箱２ａ，２ｂの開口面が示されている。
盆型箱２ａ、２ｂはある程度の強度があれば何れの材質で作成しても良いが、例えば木材で作成すると、見本木材片１と質感が一致するので好ましい。
【００１３】
盆型箱２ａおよび盆型箱２ｂは同じ形状であり、底面が長方形をしている。盆型箱の形状は、円形やその他の形でも良いが、見本木材片１の配置のしやすさや使いやすさ等から考えると、長方形が最も好ましい。長方形の盆型箱２ａ，２ｂに納まりやすいように、見本木材片１の形状は直方体となっている。見本木材片１は盆型箱２ａ，２ｂに数列数段で収納されている。
盆型箱２ａ，２ｂのそれぞれの大きさを、携帯に便利なようにおよそＡ４サイズにし、見本木材片１の大きさを 縦70mm×横40mm×高さ18mm にすると、見本木材片１は２枚の盆型箱２ａ，２ｂに６行８列で合計４８個収納することができる。見本木材片１は複数種類の木材の特徴を提示するものであるので、それぞれ木材の特徴が分かるように、例えば柾目、板目が識別できるように裁断しておくのが好ましい。そして、上記の寸法であると、柾目や板目を明瞭に認識することができる。
【００１４】
盆型箱２ａ，２ｂの底面に設けられる留め材３ｂには平紐状のものが用いられる。図１の上下を木材の実物見本セットの前後とし、図１の左右を木材の実物見本セットの左右とすると、留め材３ｂは盆型箱２ａ、２ｂの底面の右端から左端まで貼り付けられたものが、収められた見本木材片１の行数と同じ本数だけ前後に平行に設けられている。一番前に位置する留め材３ｂは盆型箱２ａの底面前端から見本木材片１の縦の長さの１／４程度後ろの位置に貼り付けられており、それ以外の留め材３ｂは見本木材片１の縦の長さと同じ間隔をあけて平行に貼り付けられている。したがって、全ての見本木材片１において、その前端から縦の長さの１／４程度の所に留め材３ｂが位置することになる。
【００１５】
図２は、見本木材片１の外観図であり、（Ａ）が表から見た斜視図、（Ｂ）が裏から見た斜視図である。見本木材片１の留め材３ａは、携帯箱２に貼り付けられた留め材３ｂに合致する位置であればどのような形状でも良いが、本実施形態では底面の左右中央の前側半分程度に平紐状の留め材３ａが貼り付けられている。
このように留め材３ａ，３ｂを貼り付けると、それぞれの見本木材片１において、左右中央の前端から１／４程度の位置で、平紐状の留め材３ａと留め材３ｂとが直交し、その交点で留めあうことになる（図１参照）。
【００１６】
以上のように留め材３ａ，３ｂで、複数種類の見本木材片１が携帯箱２に固定されているので携帯箱２を開閉したときに飛び出したりすることが無く、所定の位置に固定したままでいられる。さらに図３に示すように、携帯箱２を開けたまま片方の盆型箱２ａ，２ｂを垂直に立てかけることもできるし（図３（Ａ）参照）、携帯箱２を開いて側面を下にすれば、自立させることもできる（図３（Ｂ）参照）。そのため、卓上で使用することが容易となり、顧客等と見本木材片１を一覧しながら木材を選択することができる。
【００１７】
携帯箱２が２枚の盆型箱２ａ，２ｂからなり、それぞれの盆型箱２ａ，２ｂに見本木材片１が整列されているので図１の状態でも図３（Ａ）及び（Ｂ）の状態でも、複数種類の見本木材片１を全て一覧することができる。
また、見本木材片１の上面に樹名等の表示をシールにして貼り付け、樹名の五十音順や木材の性質によって順番を決めて整列させると、複数の見本木材片１を体系的に一覧することが出来、効率的に比較検討することができる。
【００１８】
本考案の木材の実物見本セットは、使用用途にあわせて見本木材片１の種類を選択して携帯箱２に収納することが好ましい。一つの携帯箱２に収納することのできる見本木材片１の数には限りがあるが、これを補えるからである。そのため、さらにこれを１パターンとし、別の使用用途用に複数のパターン用意することが考えられる。例えば家具・建具用の見本木材片１を集めた木材の実物見本セットである。他にも住宅・建築用、造型・彫刻用等が考えられる。木材は、使用用途によってよく使われる種類が異なるので、このようにパターンを分ける事が有効である。パターンに分け不要な見本木材片１を排除することにより、顧客等にとって検討すべき木材のみを提示することができ、より比較検討に便利となる。
【００１９】
図４は、携帯箱２を閉じた状態の木材の実物見本セットの外観図である。盆型箱２ａ，２ｂをＡ４サイズ程度に作れば、携帯箱２を閉じると、全体としてＡ４サイズ程度の大きさとなる。そのため携帯可能な大きさであり、持ち運びや収納にかさばらない。
持ち運びや収納時には、携帯箱２の側面に設けた留具５を留めることにより携帯箱２を閉じた状態を保持することができる。また持ち運びのために、携帯箱２の側面に取っ手６が設けられている。このようにすることで持ち運びや収納に便利となる。
また携帯箱２を閉じれば、見本木材片１は箱の内側に格納される形となり、携帯箱２の持ち運びや収納に便利であるし、見本木材片１を傷つけたりする等の心配がない。
【００２０】
図５は、木材の実物見本セットの断面図である。見本木材片１は盆型箱２ａ、２ｂに貼り付けられた留め材３ｂに支えられている。留め材３ｂは平紐状であり、ある程度の厚みがあるので、見本木材片１は留め材３ｂを支点としたシーソーのような状態となる。図５の左右を実物見本セットの前後とすると、見本木材片１は前端から縦の長さの１／４程度の位置で留め材３ｂにより支えられている。したがって、通常見本木材片１は、後端が盆型箱２ａ、２ｂの底面に接地し、前端が浮き上がった状態となっている。ここで図５に示すように、浮き上がった前端を指で下方に押さえると、接地していた後端が上方へ浮き上がる。後端は前端よりも支点となっている留め材３ｂからの距離が離れているので、より上方に浮き上がることになり、見本木材片１の側面を露出させることになる。そこで見本木材片１の側面を指でつまみ上方へ引き上げると見本木材片１を簡単に取り外すことができる。このように、見本木材片１を取り外すことが容易となっている。
見本木材片１の上面前端には切欠き１ａが設けられている。これは上述の通りに見本木材片１を取り外す際に、上面前端が盆型箱２ａ、２ｂの壁面や他の見本木材片１に当たることがないようにするためである。
このように、見本木材片１は留め材３ａ，３ｂにより取り外し容易に固定されているので、必要に応じて取り外し、見本木材片１の硬さや重さ、手触り等を確かめることが可能である。
【００２１】
以上の通り、本考案の木材の実物見本セットは、携帯に容易であり、複数の実物見本木材片を一覧可能かつ着脱可能とし、卓上での木材の選定に最適な木材の実物見本セットとなっている。
【図面の簡単な説明】
【００２２】
【図１】木材の実物見本セットの開いた状態の外観図である。
【図２】見本木材片の外観図であり、（Ａ）が表から見た斜視図、（Ｂ）が裏から見た斜視図である。
【図３】木材の実物見本セットを立てかけた状態の外観図である。
【図４】木材の実物見本セットを閉じた状態の外観図である。
【図５】見本木材片を取り外す要領の説明図である。
【符号の説明】
【００２３】
１    見本木材片
１ａ  切欠き
２    携帯箱
２ａ  盆型箱
２ｂ  盆型箱
３ａ  留め材
３ｂ  留め材
４    丁番
５    留具
６    取っ手
【図１】
0003145061.tif 000003
【図２】
0003145061.tif 000004
【図３】
0003145061.tif 000005
【図４】
0003145061.tif 000006
【図５】
0003145061.tif 000007